(57)【要約】【課題】原稿面の情報を読み取る画像読取装置において、原稿濃淡部の色の変化を抑え、読み取り画像に生じる影を防止する。【解決手段】原稿面の画像読取領域１００へ光束を集光させる集光手段１１７と、前記集光手段１１７により集光された原稿１０２の面の反射光を画像情報として読み取る読取手段１０７とを有し、前記集光手段１１７は、光源１１０と、前記光源１１０から照射された光束の一部を反射する反射部材１１４と、前記光源１１０から照射された直接光と前記反射部材１１４が反射した反射光の一部を画像読取領域１００に照射する開口部１１６とを備えたことを特徴とする画像読取装置。【選択図】図２
2005322956.tif 000002
【特許請求の範囲】
【請求項１】
原稿面の読取領域へ光束を集光させる集光手段と、前記集光手段により集光された原稿面の反射光を画像情報として読み取る読取手段とを有し、前記集光手段は、光源と、前記光源から照射された光束の一部を反射する反射部材と、前記光源から照射された直接光と前記反射部材が反射した反射光の一部を画像読取領域に照射する開口部とを備えたことを特徴とする画像読取装置。
【請求項２】
原稿面の読取領域へ光束を集光させる集光手段と、前記集光手段により集光された原稿の反射光を画像情報として読み取る読取手段とを有し、前記集光手段は、光源と、前記光源から照射された光束の一部を反射する反射部材と、前記光源を内包するとともに前記光源から照射された光束が通過する第１の開口部を有する内包部材と、前記第１の開口部を通過した直接光と前記反射部材が反射した反射光の一部を画像読取領域に照射する第２の開口部とを備えたことを特徴とする画像読取装置。
【請求項３】
前記前記第２の開口部は読取装置の主走査方向幅が最大読取可能原稿幅より広く、副走査方向幅が、前記光源から前記原稿台ガラス面に入射する光束の幅より狭く且つ前記光源から前記反射部材で反射され前記原稿台ガラス面に入射する光束の幅より狭い幅としたことを特徴とする請求項１又は２記載の画像読取装置。
【請求項４】
前記第２の開口部は、前記原稿台ガラスの下面に形成されることを特徴とする請求項１、２又は３記載の画像読取装置。
【請求項５】
前記第２の開口部は、黒色の樹脂製シートに形成されることを特徴とする請求項１、２、３又は４記載の画像読取装置。
【請求項６】
前記第２の開口部は、黒色のフェルト材に形成されることを特徴とする請求項１、２、３、４又は５記載の画像読取装置。
【請求項７】
前記第２の開口部は前記光源からの光束を原稿面の読取領域のみに照射することを特徴とする請求項１、２、３、４、５又は６記載の画像読取装置。
【請求項８】
原稿を載置する原稿台ガラスと、前記原稿台ガラスに載置した原稿面の読取領域へ光束を集光させる集光手段と、前記集光手段により集光された原稿面の反射光を画像情報として読み取る読取手段とを有し、前記集光手段は、光源と、前記光源を内包するとともに前記光源から照射された光束が通過する第１の開口部を有する内包部材と、前記第１の開口部を通過した光束の一部を反射する反射部材と、前記原稿台ガラスと前記光源の間にスリットを有する遮蔽部材とから構成されていることを特徴とする画像読取装置。
【請求項９】
前記遮蔽部材は前記光源側の面が黒色から構成されていることを特徴とする請求項８記載の画像読取装置。
【請求項１０】
前記遮蔽部材は上下両面ともに黒色としたことを特徴とする請求項８記載の画像読取装置。
【発明の詳細な説明】
【技術分野】
【０００１】
本発明は画像読取装置に関し、特に、光源からの光束を原稿面の読取領域に照射して、原稿面で反射された光束を固体撮像素子へ導くことで、原稿面上の画像を読み取る集光手段を備える画像読取装置に関する。
【背景技術】
【０００２】
以下、従来の画像読取装置について説明する。
【０００３】
図４は従来の画像読取装置の画像読取部を示す断面図である。
【０００４】
１は、光源ランプで、長軸方向に一定の幅で設けられた開口部２を有するランプケース３に内包されている。４は、ランプユニットフレームで光源ランプ１を内包するランプケース３を保持している。ここで、開口部２は、光源ランプ１から光束が直接原稿台ガラス５の画像読取領域６に至るよう配置されている。７は、光源ランプ１からの光束の一部を反射し、原稿台ガラス５の画像読取領域に至るよう配置された光源反射板である。８は、原稿台ガラス５上に置かれた原稿で、別途図示しない原稿搬送手段によって、原稿台ガラス５上を矢印Ａ方向へ搬送されることにより、光源ランプ１からの反射光束（原稿面で反射された光束）が原稿台ガラス５の下部に設けた不図示の走査ミラー、結像レンズに指向し、読取手段にて画像情報として読み取られる。
【０００５】
また、（特許文献１）には、照明効率を高めつつ、かつ原稿の反射濃度に影響されない原稿照明が可能な画像読取装置が開示されている。図２に示すように、長軸円筒形状より成る光源から放射された光束により原稿台ガラス上に載置された原稿面の読取領域をスリット状に照明する原稿照明装置であって、該原稿台ガラス近傍に透明な樹脂に蛍光染料を溶かし込んだ蛍光樹脂板を配置し、該蛍光樹脂板を介した光束を利用して該原稿面の読取領域を照明している。
【特許文献１】特開平１０−４４７３号公報
【発明の開示】
【発明が解決しようとする課題】
【０００６】
先に示した、従来の技術では、ランプ光源の回折光や、ランプケースの開口部以外にランプケース内に照射された光がランプケース内で乱反射し、原稿読み取りラインにさまざまな角度で、開口部から放射・照射されていた。これにより、読み取り画像で原稿濃淡部の境目が読み取りで色が変化し、濃部に続く淡部に影となって現れるという問題があった。
【０００７】
また、（特許文献１）の構成では、光源の照射効率は高まるが、先に示した従来の技術と同様に、透明な樹脂に蛍光染料を溶かし込んだ蛍光樹脂板を通過して原稿台ガラスに達する光束によって画像読み取りに悪影響を及ぼす領域まで原稿を照射することになり読み取り画像で原稿濃淡部の境目が読み取りで色が変化し、濃部に続く淡部に影となって現れるという問題があった。
【課題を解決するための手段】
【０００８】
本発明は、上記課題を解決する為、原稿面の読取領域へ光束を集光させる集光手段と、集光手段により集光された原稿面の反射光を画像情報として読み取る読取手段とを有し、集光手段は、光源と、光源から照射された光束の一部を反射する反射部材と、光源から照射された直接光と反射部材が反射した反射光の一部を画像読取領域に照射する開口部とを
備えた構成としたものである。
【０００９】
これにより、ランプ光源の回折光や、ランプケースの開口部以外にランプケース内に照射された光がランプケース内での乱反射に起因する原稿濃淡部の境目の色が変化等を防止することが可能となる。
【発明の効果】
【００１０】
以上のように、本発明よれば、原稿面の読取領域へ光束を集光させる集光手段と、前記集光手段により集光された原稿面の反射光を画像情報として読み取る読取手段とを有し、前記集光手段は、光源と、前記光源から照射された光束の一部を反射する反射部材と、前記光源から照射された直接光と前記反射部材が反射した反射光の一部を画像読取領域に照射する開口部とを備えた画像読取装置であって、光源からの光束が原稿の読取領域のみへ照射されるので、原稿濃淡部の色の変化を抑え、読み取り画像に生じる影を防ぐことにより、良好な読取画像を得ることができる。
【発明を実施するための最良の形態】
【００１１】
本発明の請求項１に記載の発明は、原稿面の読取領域へ光束を集光させる集光手段と、集光手段により集光された原稿面の反射光を画像情報として読み取る読取手段とを有し、集光手段は、光源と、光源から照射された光束の一部を反射する反射部材と、光源から照射された直接光と反射部材が反射した反射光の一部を画像読取領域に照射する開口部とを備えた画像読取装置であって、ランプ光源からの回折光や、ランプケースの開口部以外にランプケース内に照射された光が、ランプケース内で乱反射し放射されても、原稿面に照射される光束が開口部に集光されるので、読取領域のみに光束を照射することができるという効果を有する。
【００１２】
本発明の請求項２に記載の発明は、原稿面の読取領域へ光束を集光させる集光手段と、集光手段により集光された原稿の反射光を画像情報として読み取る読取手段とを有し、集光手段は、光源と、光源から照射された光束の一部を反射する反射部材と、光源を内包するとともに光源から照射された光束が通過する第１の開口部を有する内包部材と、第１の開口部を通過した直接光と反射部材が反射した反射光の一部を画像読取領域に照射する第２の開口部とを備えた画像読取装置であって、開口部以外に照射された光束の光は読取領域には照射されないので、光源ランプの直接光と光源反射板の反射光のみを的確に集光できるという効果を有する。
【００１３】
本発明の請求項３に記載の発明は、請求項１又は２記載の発明において、第２の開口部は、読取装置の主走査方向幅が最大読取可能原稿幅より広く、副走査方向幅が、光源から原稿台ガラス面に入射する光束の幅より狭く且つ光源から反射部材で反射され原稿台ガラス面に入射する光束の幅より狭い幅とした画像読取装置であって、光源からの光束が開口部により集光されるので、読取領域のみに的確に光源からの光束を照射することができという効果を有する。
【００１４】
本発明の請求項４に記載の発明は、請求項１、２又は３記載の発明において、原稿台ガラスの下面に形成される画像読取装置であって、光源からの光束を原稿台ガラスを通過する直前に光束を集光するので、光束を読取領域のみへ絞良好に絞り込むことができるという効果を有する。
【００１５】
本発明の請求項５に記載の発明は、請求項１、２、３又は４記載の発明において、第２の開口部は、黒色の樹脂製シートに形成される画像読取装置であって、塗布性の良い部材を用いたので、開口部以外の部分を容易に黒く配色することできるという効果を有する。
【００１６】
本発明の請求項６に記載の発明は、請求項１、２、３、４又は５記載の発明において、第２の開口部は、黒色のフェルト材に形成される画像読取装置であって、弾力性のある部材を使用することで、集光手段の筐体との密着性を増すことができ光束の漏れを防止できるとう効果を有する。
【００１７】
本発明の請求項７に記載の発明は、請求項１、２、３、４、５又は６記載の発明において、第２の開口部は光源からの光束を原稿面の読取領域のみに照射する画像読取装置であって、原稿面の読取領域以外へ光源からの乱反射光や回折光が照射されないので、画像濃度の変化を防止できることができるという効果を有する。
【００１８】
本発明の請求項８に記載の発明は、原稿を載置する原稿台ガラスと、原稿台ガラスに載置した原稿面の読取領域へ光束を集光させる集光手段と、集光手段により集光された原稿面の反射光を画像情報として読み取る読取手段とを有し、集光手段は、光源と、光源を内包するとともに光記光源から照射された光束が通過する第１の開口部を有する内包部材と、第１の開口部を通過した光束の一部を反射する反射部材と、原稿台ガラスと光源の間にスリットを有する遮蔽部材とから構成されている画像読取装置であって、光源からの回折光や、ランプケースのスリット以外にランプケース内に照射された光がランプケース内で乱反射し放射されても、原稿台ガラス上の原稿面に到達する前に不必要な読取領域に照射される光束が遮蔽部材によりカットされるので、読取領域のみに光源からの光束を良好に照射できるという効果を有する。
【００１９】
本発明の請求項９に記載の発明は、請求項８記載の発明において、遮蔽部材は光源側の面が黒色から構成されている画像読取装置であって、光源からの回折光やランプケース内での乱反射を原稿台ガラスを通過する直前に遮蔽することができるという効果を有する。
【００２０】
本発明の請求項１０に記載の発明は、請求項８記載の発明において、遮蔽部材は上下両面ともに黒色とした画像読取装置であって、スリット以外に照射された光束はスリット上下面の遮蔽部材の黒色部分に吸収できるという効果を有する。
【００２１】
次に図１から図３を用いて本発明の実施の形態１について説明する。
【００２２】
（実施の形態１）
図１は、本発明の実施の形態１における画像読取装置の構造を示す構成図、図２は図１の画像読取装置が備える集光手段を示す断面図、図３（ａ）は図２の集光手段が備える遮蔽部を示す拡大上面図、図３（ｂ）は図２の集光手段が備える他の遮蔽部材を示す拡大上面図である。
【００２３】
先ず、図１において、１０１は矢印Ａ方向に原稿１０２を送る搬送路（図示せず）に備えた透明な原稿台ガラスで、原稿１０２がその上を図示しない原稿搬送手段によって搬送されながら画像が読み取られる。１０３は、光源部（ランプユニット）で後述する構成となっている。１０４は、画像読取り部で、ミラー１０５で（複数あり、図示せず）を含む光学系によって構成され、光源部１０３から原稿台ガラス１０１上の原稿１０２の読取り面に光を照射し、光照射された画像をミラー１０５経由の図中の矢印Ｂ方向で示す光路によって原稿検知部（後述）に入射させる光学系を備えたものである。画像読取り部１０４は、読取手段としてのラインイメージセンサ１０７と、ミラー１０５経由の光をラインイメージセンサ１０７に結像させる光学レンズ１０６を備える。ラインイメージセンサ１０７は、ＣＣＤイメージセンサとして周知のものである。１０８は、ラインイメージセンサ１０７からの画像データを処理する制御部である。
【００２４】
次に図２を用いて、本発明の実施の形態である集光手段１１７について説明する。１１
０は原稿１０２を照明するための光源（以下、光源ランプ）、１１１は、光源ランプ１１０を内包し保持する円筒状のランプケース、１１２は、ランプユニットフレーム、１１３は、ランプケース１１１の長軸方向に設けられた第１の開口部で、光源ランプ１１０から照射される光束の一部が第１の開口部１１３から放射される。ここで、第１の開口部１１３は、光源ランプ１１０から放射される光束が直接原稿台ガラス１０１の画像読取領域１００に至るようランプケース１１１が配置されている。１１４は、光源ランプ１１０からの光束の一部を反射し、原稿台ガラス１０１の画像読取領域１００に至るよう配置された反射部材である。ランプケース１１１、反射部材１１４は、ランプユニットフレーム１１２に取り付けられている。
【００２５】
光源ランプ１１０とランプケース１１１とランプユニットフレーム１１２と反射部材１１４で、ランプユニット（光源部）１０３を構成している。１１５は、原稿台ガラス１０１下面に密着して取り付けられた遮蔽部材で、第２の開口部１１６が形成されている。
【００２６】
ここで、図３において、遮蔽部材１１５は、第２の開口部１１６を除いた部分が黒色に配色されている。遮蔽部材１１５の材質としては、樹脂製シートまたはフェルト材を用いることが好ましい。これらの材質の部材を使用すると、黒く配色することが容易となる。また、フェルト材とすることにより、ランプユニット１０３との密着性が増し、接合部からの光の漏れを防止できる。図３では、表裏（上下）面ともに黒く配色した例を示しているが、少なくとも裏面、言い換えれば原稿台ガラス１０１に取り付けた状態で、光源ランプ１１０側を黒く配色すればよい。第２の開口部１１６は、主走査方向開口幅Ｌ１は、画像読取装置の最大読取可能原稿幅より広くなる寸法となっている。また、副走査方向幅Ｌ２は、光源ランプ１１０から直接原稿台ガラス１０１面に入射する光束の幅より狭く且つ光源ランプ１１０から反射部材１１４で反射され直接原稿台ガラス１０１面に入射する光束の幅より狭い幅となっている。これにより、画像読取領域１００のみに的確に光源からの光束を照射することができる。
【００２７】
また、本発明の実施の形態で示した第２の開口部１１６の形状は、その一例を述べたものであり、本発明に限定されず、光源からの光束を原稿の読取領域に照射できるものであれば、例えば図３（ｂ）に示すような形状、或いは円形状であっても良い。
【００２８】
更に、先に遮蔽部材１１５が原稿台ガラス１０１の下面に密着して取り付けられていると述べたが、取り付け方法は、密着できるものであれば、接着剤やネジ等で取り付けても良い。
【００２９】
即ち、本発明の実施の形態における集光手段では、原稿台ガラス１０１の裏側に第２の開口部１１６を設けた遮蔽部材１１５を密着して取り付けたことで、光源ランプ１１０から照射された光束の回折光や、ランプケース１１１の第１の開口部１１３から照射された光束がランプユニット１０３内で乱反射しても、原稿面に到達する前に遮蔽部材１１５と第２の開口部１１６以外の部分で不必要な光束がカットされる。言い換えれば、遮蔽部材１１５が第２の開口部１１６以外の部分が黒い色の為、第２の開口部１１６以外に照射された光束の光は遮蔽部材１１５に吸収される。よって、原稿読み取り面には、光源ランプ１１０の直接光と反射部材１１４の反射光のみが、集光され、原稿濃淡部の色の変化が抑えられ、読み取り画像に影が現れない為、絵のコントラストが鮮明となる。また、遮蔽部材１１５を原稿台ガラス１０１の下面側に密着して取り付けているため、（遮蔽部材１１５を原稿台ガラス１０１表面に設けると原稿１０２の搬送で、ミスフィードが発生するため）原稿台ガラス１０１の裏面に遮蔽部材１１５を設けているので、原稿台ガラス表面（上面）を搬送される原稿に影響を与える事は無い。（障害とならない）よって、ミスフィードが抑制される。
【００３０】
また、本発明はその一例として、原稿台ガラス上の原稿読取領域をスリット状に照射する構成としたものであり、更に、遮蔽部材に設けたスリットは、主走査方向幅が画像読取装置の最大読取可能原稿幅より広く、副走査方向幅は、光源から直接原稿台ガラス面に入射する光束の幅より狭く且つ光源から反射部材で反射され原稿台ガラス面に入射する光束の幅より狭い幅としたものである。これにより、ランプ光源からの回折光や、ランプケースの開口部以外にランプケース内に照射された光がランプケース内で乱反射し放射されても、原稿台ガラス上の原稿面に到達する前に不必要な領域に照射される光束がスリットでカットされる。また、遮蔽部材は、黒色の樹脂製シートにスリットを設けた部材かまたは、黒色のフェルト材にスリットを設けた部材としたものである。更に、遮蔽部材は上下両面ともに黒色としたものである。これにより、原稿台ガラスの表面と原稿台ガラスの裏面で起こる反射光の若干による影響も低減できる。
【産業上の利用可能性】
【００３１】
本発明にかかる集光手段を備える画像読取装置は、原稿濃淡部の色の変化が抑えられ、読み取り画像に影が現れることを防止することができ、スキャナ装置、デジタル複写機、デジタル複合機、ＦＡＸ、電子ファイリング装置など広く利用できる技術である。
【図面の簡単な説明】
【００３２】
【図１】本発明の実施の形態１における画像読取装置の構造を示す構成図
【図２】図１の画像読取装置が備える集光手段を示す断面図
【図３】（ａ）図２の集光手段が備える遮蔽部を示す拡大上面図、（ｂ）図２の集光手段が備える他の遮蔽部材を示す拡大上面図
【図４】従来の画像読取装置の画像読取部を示す断面図
【符号の説明】
【００３３】
１００    画像読取領域
１０１    原稿台ガラス
１０２    原稿
１０３    ランプユニット（光源部）
１０４    画像読取部
１０５    ミラー
１０６    光学レンズ
１０７    ラインイメージセンサ（読取手段）
１０８    制御部
１１０    光源（光源ランプ）
１１１    ランプケース
１１２    ランプユニットフレーム
１１３    第１の開口部
１１４    反射部材
１１５    遮蔽部材
１１６    第２の開口部（スリット）
１１７    集光手段
【図１】
2005322956.tif 000003
【図２】
2005322956.tif 000004
【図３】
2005322956.tif 000005
【図４】
2005322956.tif 000006